(57)【要約】【課題】冊子に含まれる各ページ内のコンテンツの分類を示すツメを付与する場合、冊子内のページ数、分類数、坪量、レイアウトを考慮して効果的な分類可視化を行う。【解決手段】複数枚の用紙を束ねて冊子状にまとめ、製本する際に用いられるデータを作成するデータ作成装置であって、前記冊子の各ページに対し、当該冊子の特性に対して予め定められた基準に従い、前記ツメを付与するか否かを判断する判断手段と、前記判断手段により前記ツメを付与すると判断されたページに対し、前記冊子における各ページの小口部分に前記ツメを印刷するように配置したデータを作成する作成手段とを有する。【選択図】図１
2012138895.tif 000002
【特許請求の範囲】
【請求項１】
複数枚の用紙を束ねて冊子状にまとめ、製本する際に用いられるデータを作成するデータ作成装置であって、
前記冊子の各ページに対し、当該冊子の特性に対して予め定められた基準に従い、前記ツメを付与するか否かを判断する判断手段と、
前記判断手段により前記ツメを付与すると判断されたページに対し、前記冊子における各ページの小口部分に前記ツメを印刷するように配置したデータを作成する作成手段と
を有することを特徴とするデータ作成装置。
【請求項２】
前記判断手段は、前記冊子の特性として、前記冊子が所定のページ数以上を有するか否かを判定し、当該所定のページ数以上であれば、前記ツメを付与すると判断することを特徴とする請求項１に記載のデータ作成装置。
【請求項３】
前記判断手段は、前記冊子の特性として、前記冊子に含まれる画像データが属する分類情報の数が、当該冊子のページ数を基準として定められた、所定の範囲内の数であれば、前記ツメを付与すると判断することを特徴とする請求項１または２に記載のデータ作成装置。
【請求項４】
前記判断手段は、前記冊子の特性として、当該冊子に含まれるページの坪量が所定の値以下である場合に、前記ツメを付与すると判断することを特徴とする請求項１乃至３のいずれか一項に記載のデータ作成装置。
【請求項５】
前記判断手段は、前記冊子の特性として、当該冊子に含まれるページのうち、ページの全面に対して印字を行うページに対しては前記ツメを付与しないと判断することを特徴とする請求項１乃至４のいずれか一項に記載のデータ作成装置。
【請求項６】
前記判断手段は、当該冊子に含まれるページに配置される前記画像データが属する分類情報のうち、特定の分類情報に属する全てのページに対して前記ツメを付与しないと判断した場合、当該冊子に含まれるページ全てに対して前記ツメを付与しないことを特徴とする請求項１乃至５のいずれか一項に記載のデータ作成装置。
【請求項７】
前記判断手段は、前記各ページの小口部分の色と前記ツメの色とを比較し、前記小口部分の色と前記ツメの色とが同一または類似である場合に、前記ツメを付与しないと判断することを特徴とする請求項１乃至６のいずれか一項に記載のデータ作成装置。
【請求項８】
前記判断手段は、前記ツメを配置する位置の背景色と前記ツメの色とを比較し、前記背景色と前記ツメの色とが同一または類似である場合に、前記ツメの色を変更して前記ツメを付与すると判断することを特徴とする請求項１乃至７のいずれか一項に記載のデータ作成装置。
【請求項９】
画像データの付加情報を用いて前記画像データが属する分類情報を作成し、前記画像データを分類する分類手段と、
前記画像データの分類情報を用いて、前記冊子において前記画像データを配置する各ページを分類の切れ目で区切る区切手段と
を更に有することを特徴とする請求項１乃至８のいずれか一項に記載のデータ作成装置。
【請求項１０】
複数枚の用紙を束ねて冊子状にまとめ、製本する際に用いられるデータを作成するデータ作成装置であって、
前記冊子の各ページに対し、ページ内における画像データが配置される位置と前記ツメを付与する位置とが重複するか否かを判断する判断手段と、
前記判断手段により重複すると判断されたページに対し、前記ページに収まる範囲で、前記画像データをずらす、または、前記画像データを縮小して再配置する再配置手段と
を有することを特徴とするデータ作成装置。
【請求項１１】
複数枚の用紙を束ねて冊子状にまとめ、製本する際に用いられるデータを作成するデータ作成方法であって、
判断手段が、前記冊子の各ページに対し、当該冊子の特性に対して予め定められた基準に従い、前記ツメを付与するか否かを判断する判断工程と、
作成手段が、前記判断工程により前記ツメを付与すると判断されたページに対し、前記冊子における各ページの小口部分に前記ツメを印刷するように配置したデータを作成する作成工程と
を有することを特徴とするデータ作成方法。
【請求項１２】
複数枚の用紙を束ねて冊子状にまとめ、製本する際に用いられるデータを作成するデータ作成方法であって、
判断手段が、前記冊子の各ページに対し、ページ内における画像データが配置される位置と前記ツメを付与する位置とが重複するか否かを判断する判断工程と、
再配置手段が、前記判断工程により重複すると判断されたページに対し、前記ページに収まる範囲で、前記画像データをずらす、または、前記画像データを縮小して再配置する再配置工程と
を有することを特徴とするデータ作成方法。
【請求項１３】
コンピュータを、
冊子の各ページに対し、当該冊子の特性に対して予め定められた基準に従い、ツメを付与するか否かを判断する判断手段、
前記判断手段により前記ツメを付与すると判断されたページに対し、前記冊子における各ページの小口部分に前記ツメを印刷するように配置されたデータを作成する作成手段
として機能させるためのプログラム。
【請求項１４】
コンピュータを、
冊子の各ページに対し、ページ内における画像データが配置される位置と前記ツメを付与する位置とが重複するか否かを判断する判断手段、
前記判断手段により重複すると判断されたページに対し、前記ページに収まる範囲で、前記画像データをずらす、または、前記画像データを縮小して再配置する再配置手段
として機能させるためのプログラム。
【発明の詳細な説明】
【技術分野】
【０００１】
本発明は、複数枚の用紙を束ねて製本する冊子作成システムにおけるデータ作成装置、データ作成方法、およびプログラムに関する。
【背景技術】
【０００２】
従来、複数枚の用紙を束ねて冊子状にまとめ、冊子状の用紙の四つの辺のうち１つを留めることで製本するシステムが存在する。ここで作成される冊子には、様々なコンテンツが含まれる場合がある。よって、冊子内のコンテンツを分類してレイアウトしたり、冊子内に含まれるコンテンツ分類を容易に目視できることが望まれる。従来の技術には、複数のコンテンツのそれぞれが付加情報を有し、付加情報からコンテンツの内容変化度を判断して改ページするものがある（特許文献１）。また、ページ内のコンテンツの分類に応じて出力用紙の小口部にツメを付与するものもある（特許文献２）。
【先行技術文献】
【特許文献】
【０００３】
【特許文献１】特開２００１−５８３８号公報
【特許文献２】特開２００２−８０４９号公報
【発明の概要】
【発明が解決しようとする課題】
【０００４】
上述した技術文献では、コンテンツの分類に応じてページを区切ったり、各ページにツメを付与することで冊子内のコンテンツ分類を可視化することができる。しかし、冊子内のコンテンツの構成を考慮していないため、可視化の観点で効果が少ない場合や無い場合にもツメを付与していた。例えば、冊子内のコンテンツ分類をツメで判断する場合、冊子のページ数が少ない場合には効果が薄くなる。また、分類数が多い場合にはツメを付与することが冗長なこともある。また、用紙の坪量が大きい場合、ツメを付与したとしても小口側からの分類が識別できない。上述した技術文献ではこれらの問題には対応していない。
【課題を解決するための手段】
【０００５】
本発明は、上記課題を解決するために以下の構成を有する。すなわち、複数枚の用紙を束ねて冊子状にまとめ、製本する際に用いられるデータを作成するデータ作成装置であって、前記冊子の各ページに対し、当該冊子の特性に対して予め定められた基準に従い、前記ツメを付与するか否かを判断する判断手段と、前記判断手段により前記ツメを付与すると判断されたページに対し、前記冊子における各ページの小口部分に前記ツメを印刷するように配置したデータを作成する作成手段とを有する。
【発明の効果】
【０００６】
冊子の各ページに対して一定の判断基準でツメの付与を決定することで、冊子内の分類の可視化において柔軟性と利便性を向上することができる。
【図面の簡単な説明】
【０００７】
【図１】第一実施形態に係る冊子作成装置のシステム全体構成を示す図。
【図２】第一実施形態に係るクライアント装置のハードウェア構成のブロック図。
【図３】アルバム編集装置の機能構成のブロック図。
【図４】アルバム編集装置の処理概要。
【図５】本発明に係るユーザインタフェースの例を示す図。
【図６】本発明に係る編集＆プレビュー工程のユーザインタフェースの例を示す図。
【図７】ツメの付与判断条件の例を示す図。
【図８】ツメの付与判断処理のフローチャート図。
【図９】ツメの付与判断処理のフローチャート図。
【図１０】ツメの付与判断処理のフローチャート図。
【図１１】ツメの付与判断処理のフローチャート図。
【図１２】レイアウト変更例を示す図。
【図１３】レイアウト変更例を示す図。
【図１４】第二実施形態に係るレイアウト変更処理のフローチャート図。
【図１５】第三実施形態に係るレイアウト変更処理のフローチャート図。
【図１６】第四実施形態に係るレイアウト変更処理のフローチャート図。
【発明を実施するための形態】
【０００８】
以下、本発明を実施するための形態について図面を用いて説明する。まず、本発明で使用する特徴的な用語を以下に定義する。
【０００９】
［冊子、アルバム］
複数枚のシートを束ねて冊子状にし、作成する印刷物。デジタルスチルカメラや、デジタルビデオカメラや、スキャナなどで生成したデジタル画像をシートに印刷し、生成したフォトアルバムを含む。
【００１０】
［コンテンツ］
冊子内の各シート（用紙）に印刷するデジタル画像、画像データ。
【００１１】
［ツメ］
印刷物の小口部分に印字される分類情報。国語辞典などの見出し語印字などで広く使用されている。印刷物を小口方面から見る場合、ツメが集まって帯状に識別することができる。このツメによる帯によって、印刷物内のコンテンツ分類を可視化することが可能である。
【００１２】
［出力装置］
電子データを紙に印刷するための装置。画像出力装置、画像処理装置、画像形成装置、もしくは印刷装置等と同義。出力装置は、以下の複数の機能を備えるＭＦＰ（ＭｕｌｔｉＦｕｎｃｔｉｏｎ  Ｐｅｒｉｐｈｅｒａｌ）を指すこともある。処理装置から送信されたＰＤＬ（Ｐａｇｅ  Ｄｅｓｃｒｉｐｔｉｏｎ  Ｌａｎｇｕａｇｅ）等の印刷データを印刷するプリンタ機能。画像読取装置（スキャナ）で読み取った画像データを印刷するコピー機能。画像読取装置（スキャナ）で読み取った画像データをファクスや電子メールで他の情報処理装置に送信する送信機能。情報処理装置から送信されたＰＤＬ等の印刷データを補助記憶装置に保存する文書保存機能。ファクスなどで受信したデータを印刷するファクス受信文書印刷機能。その他、任意の機能が搭載された装置であっても本発明は適用可能である。また、本発明ではくるみ製本機、ステイプラ、パンチャなどの後工程装置も出力装置として扱う。
【００１３】
［パーソナルコンピュータ］
電子計算機、情報処理装置の一形態。現在オフィスや家庭等に広く普及しているいわゆるパソコン。ワークステーションやワードプロセッサなども含む。
【００１４】
［Ｅｘｉｆ］
デジタルカメラで広く用いられている画像保存形式の統一規格。撮影日時、カメラの型番、撮影条件などを画像ファイルに添付するほか、サムネール画像も保持できる。また、メーカ独自情報や画像のタイトル等の管理も可能である。
【００１５】
［坪量］
紙や板紙の基準となる重さの単位面積である１ｍ2あたりの重量。
【００１６】
＜冊子作成装置のシステム構成図＞
図１は、本発明の一実施形態に係る冊子作成装置のシステム構成を示す図である。以下、図１を用いて冊子作成装置のシステム構成を説明する。画像入力装置１０１は、イメージ情報である光学像を電気信号に変換し、所定の画像処理をした後にデジタル情報として記録、再生する。例えば、画像入力装置１０１として、デジタルスチルカメラや、デジタルビデオカメラや、またはスキャナなどが挙げられる。ユーザが操作するパーソナルコンピュータからなるクライアント装置１０２は、アルバム編集装置１０８とＷｅｂブラウザ１０９などのアプリケーションを含む。また、クライアント装置１０２は、データ作成装置としての役割も担う。プリントサイト１０３は、ネットワーク１０６を介してクライアント装置１０２に接続される。ユーザは、Ｗｅｂブラウザ１０９を使用することによってクライアント装置１０２上のアルバム編集装置１０８を使用して作成したアルバムデータのプリント注文をプリントサイト１０３へ行うことが可能である。
【００１７】
出力装置１０４は、プリントサイト１０３に送られたアルバムデータを実際に印刷し、アルバム１１１を作成するものである。フォトサイト１０５は、画像データベース（ＤＢ）１１０内に、各種Ｗｅｂページ情報、画像、音声などのマルチメディア情報を保存管理する。ネットワーク１０６は、インターネットなどのネットワークであり、クライアント装置１０２、プリントサイト１０３及びフォトサイト１０５が接続され、各種データの送受信が行われる。ローカル通信媒体１０７は、画像入力装置１０１で取得された画像データをクライアント装置１０２へ転送するための通信媒体である。ローカル通信媒体１０７としては、例えば、ＵＳＢ（Ｕｎｉｖｅｒｓａｌ  Ｓｅｒｉａｌ  Ｂｕｓ）やＩＥＥＥ１３９４に代表される有線通信媒体と、Ｂｌｕｅｔｏｏｔｈ（登録商標）に代表される無線系通信媒体がある。それらのローカル通信媒体１０７を介して画像入力装置１０１からローカル通信媒体１０７を介してクライアント装置１０２へ転送された画像データは、クライアント装置１０２内のハードディスクドライブ（ＨＤＤ:不図示）に記憶される。
【００１８】
データ作成装置であるアルバム編集装置１０８は、クライアント装置１０２上で動作し、ユーザの指示に基づいて、画像データやコメントなどを配置可能な複数ページで構成されるアルバムを電子的に編集することができる。Ｗｅｂブラウザ１０９は、クライアント装置１０２上で動作する。ユーザはＷｅｂブラウザ１０９を使用して、ネットワーク１０６経由でフォトサイト１０５にアクセスし、アルバム１１１を作成する際に使用するテンプレートデータや画像データをダウンロードすることができる。フォトサイト１０５上の画像ＤＢ１１０は、Ｗｅｂブラウザ１０９によってダウンロードされる電子アルバム用のテンプレートデータや画像データが格納されている。出力装置１０４で作成されたアルバム１１１が、本システムの最終成果物となる。
【００１９】
アルバム編集装置１０８において編集に使用される画像データは、大きく分けて二種類ある。１つ目は、クライアント装置１０２上のＨＤＤなどの記憶媒体に登録された画像データである。ＨＤＤに記憶された画像データの中には、画像入力装置１０１から取得され、ローカル通信媒体１０７を介してクライアント装置１０２に転送されものも含まれる。もう一つは、フォトサイト１０５の画像ＤＢ１１０に格納されている画像データである。それらの画像データは、一般にクライアント装置１０２よりネットワーク１０６を介してフォトサイト１０５へアップロードされたものを含む。アルバム編集時には、それらの画像データはネットワーク１０６を介してフォトサイト１０５からクライアント装置１０２へ適宜ダウンロードされる。
【００２０】
クライアント装置１０２は、プリントサイト１０３の部分で説明した注文方法の他に、編集されたアルバムのプリント注文をフォトサイト１０５経由でプリントサイト１０３に依頼することも可能である。プリントサイト１０３は、出力装置１０４を使ってアルバムのプリント注文に対する印刷処理を実行してアルバム１１１を出力する。なお、図１ではプリントサイト１０３およびフォトサイトをそれぞれ１つだけ図示したが、２つ以上備えるようにしてもよい。また、アルバム編集装置１０８はフォトサイト１０５に配置しても良い。その場合、クライアント装置１０２のＷｅｂブラウザ１０９が、フォトサイト１０５に配置されたアルバム編集装置１０８と通信して、アルバム編集装置１０８が提供する機能を利用可能である。
【００２１】
＜クライアント装置のハードウェア構成＞
図２は、クライアント装置１０２のハードウェア構成を示すブロック図である。図２において、表示装置（ＣＲＴ等）２０１の表示画面には、例えば編集中の文書、図形、画像、その他の編集情報、ウィンドウ、アイコン、メッセージ、メニュー、その他のユーザインタフェース情報が表示される。ＶＲＡＭ２０２には、ＣＲＴ２０１に表示するための画像が描画される。このＶＲＡＭ２０２に作成された画像データは、所定の規定に従ってＣＲＴ２０１に転送されることにより、ＣＲＴ２０１に画像が表示される。外部メディアドライブ２０３は、ＣＤまたはＤＶＤに代表される記憶メディア媒体に対する記録再生動作を行う。また、外部メディアドライブ２０３は、アプリケーションを含む各種制御プログラムやデータをクライアント装置１０２と記憶媒体との間で授受する際の制御を担う。
【００２２】
キーボード２０４は、文字入力や種々の操作を行うための各種キーを有する。ポインティングデバイス２０５は、例えば、ＣＲＴ２０１の表示画面上に表示されたアイコン、メニュー、その他のオブジェクトを指示し、操作するために使用される。ＣＰＵ２０６は、ＲＯＭ２０７、記憶装置（ＨＤＤ）２０９及び外部メディアドライブ２０３に格納されたアプリケーションを含む制御プログラムに基づいて、ＣＰＵ２０６に接続された各デバイスを制御する。ＲＯＭ２０７は、各種の制御プログラムやデータを保持する。ＲＡＭ２０８は、ＣＰＵ２０６のワーク領域、エラー処理時のデータの退避領域、制御プログラムのロード領域等を有する。
【００２３】
ＨＤＤ２０９は、記憶装置であり、オペレーティングシステム（ＯＳ）やアプリケーションを含む各種制御プログラムおよび各種データを格納する。ローカル通信インタフェース（ローカル通信Ｉ／Ｆ）２１０は、ローカル通信媒体１０７を介して画像入力装置などの外部の機器からのデータを授受する際の制御を担う。ネットワーク・インタフェース（ネットワークＩ／Ｆ）２１１は、他の情報処理装置やプリンタ等とネットワーク２１３を介して通信を行う際に用いられる。ＣＰＵバス２１２は、アドレスバス、データバス及びコントロールバスを含む。なお、ＣＰＵ２０６に対する制御プログラムの提供は、ＲＯＭ２０７、ＨＤＤ２０９、ローカル通信Ｉ／Ｆ２１０、外部メディアドライブ２０３から行うこともできる。さらに、ネットワーク２１３を介して他の情報処理装置等から行うことも可能である。
【００２４】
本実施形態のアルバム編集装置１０８はアプリケーションとして実現され、ＨＤＤ２０９にＯＳが実行可能なデータとして格納されている。ユーザのポインティングデバイス２０５やキーボード２０４を介した操作に基づいて、ＯＳがアルバム編集装置１０８の実行可能なデータをＲＡＭ２０８へマップし、ＣＰＵ２０６を用いて実行する。アルバム編集装置１０８はＯＳ提供のＡＰＩ関数をコールすることによりＶＲＡＭ２０２へユーザインタフェースを提供する。そのユーザインタフェースに対するポインティングデバイス２０５やキーボード２０４を用いたユーザ操作を受けて、ＯＳがアルバム編集装置１０８へイベントを伝え、アルバム編集装置１０８がイベントの解釈し対応する処理を実行する。
【００２５】
＜アルバム編集装置のブロック図＞
図３に本実施形態に係るアルバム編集装置１０８の機能構成のブロック図を示す。データ制御部３０１は、最終成果物であるアルバム１１１の作成のために、画像データや描画データを管理および制御する。データ制御部３０１は、候補画像３０１１と、アルバム構成データ３０１２と、表紙用コンテンツデータ３０１３と、および内部ページコンテンツデータ３０１４を管理する。ＧＵＩ制御部３０２は、アルバム作成のためにＧＵＩを制御してユーザに対する操作手段や編集内容の表示手段を提供する。
【００２６】
デザイン制御部３０３は、アルバムに使用されるデザイン情報（レイアウトテンプレートデータなど）を管理および制御する。また、デザイン制御部３０３は、レイアウト情報３０３１と、画像割付テーブル３０３２を管理する。通信制御部３０４は、作成されたアルバム情報を元に印刷注文に必要な印刷データを作成して、同印刷データ及び注文処理に必要な情報の通信および管理を行う。通信制御部３０４は、商品構成データ３０４１を管理する。
【００２７】
候補画像３０１１は、アルバム作成時の画像選択工程においてユーザにより選択された、アルバムへ格納候補の画像群である。この選択された画像を、アルバム作成時の編集＆プレビュー工程で、アルバムの各ページに割り当てることにより、アルバムが作成される。
【００２８】
アルバム構成データ３０１２は、作成中のアルバムの基本構成情報を保持する情報である。アルバム構成データ３０１２は、アルバムの商材設定と、構成ページ数と、表紙用コンテンツデータ３０１３へのリンクと、および内部ページコンテンツデータ３０１４へのリンクを保持する。表紙用コンテンツデータ３０１３は、データ制御部３０１により管理されているアルバム表紙、裏表紙、および背表紙に割り振られる画像データと、その描画位置、アルバムのタイトル、および台紙に対する付加描画に関するデータを保持する。内部ページコンテンツデータ３０１４は、アルバム表紙および裏表紙以外の内部を構成するページへの割り振られる画像データとその描画位置、写真へのコメント、および台紙部分への付加描画に関するデータを保持する。またコンテンツの分類情報も内部ページコンテンツデータ３０１４で保持する。ここで、“分類情報”とは、内部コンテンツをその内容に応じて分類する際に用いられる情報である。
【００２９】
作成中のアルバム１１１の情報である、アルバム構成データ３０１２と、表紙用コンテンツデータ３０１３と、および内部ページコンテンツデータ３０１４とは、アルバム作成時の編集＆プレビュー工程で作成される。なお、以下では、アルバム構成データ３０１２、表紙用コンテンツデータ３０１３、および内部ページコンテンツデータ３０１４をまとめてアルバムデータとも呼ぶ。
【００３０】
レイアウト情報３０３１は、デザイン制御部３０３により管理されているレイアウトファイルで各ページ見開きにおける画像や文字列を決定するための情報が記録されている。画像割付テーブル３０３２は、デザイン制御部３０３により管理されている画像データ割付テーブルで各ページに割り付けられる画像データ数に関わる情報テーブルが記録されている。
【００３１】
商品構成データ３０４１は、プリントサイト１０３へ注文可能な商品構成の選択肢に関する情報である。商品構成データ３０４１は、商品構成の選択肢毎に、Ａ４などの冊子サイズと、構成可能なページ数と、およびアルバムの構成用紙の厚み情報を保持する。プリントサイト１０３で注文可能な商品構成の選択肢毎にそれらの情報を保持する。通信制御部３０４はプリントサイトと適宜、通信することにより商品構成データ３０４１を最新の状態とする。
【００３２】
＜アルバム編集装置の処理概要＞
図４は、本実施形態に係るアルバム編集装置１０８における処理の流れの概要を説明するフロー図である。図５は、本実施形態に係るアルバム編集装置１０８のユーザインタフェース図である。ユーザインタフェース（ＵＩ）での操作説明を交えながら、アルバム編集装置１０８の動作概略を示す。
【００３３】
Ｓ４０１は商品選択工程である。アルバム編集装置１０８は、通信制御部３０４を用いてプリントサイト１０３へ注文可能な商品構成に関する情報である商品構成データ３０４１を取得する。アルバム編集装置１０８は、商品構成データ３０４１より、図５（Ａ）に示す商品の選択肢を表す商品選択ＵＩ５００を構成し、ＧＵＩ制御部３０２を用いてそのＵＩをＣＲＴ２０１へ表示する。以下特に明記しない限り、商品選択ＵＩ５００への画像選択ＵＩ５１０へのＵＩ操作に関しては全てＧＵＩ制御部３０２が応答し処理する。本実施形態で商品選択ＵＩ５００は、商品の選択肢として商品５０１、５０２を有している。ユーザに対し、図５（Ａ）に示す商品選択ＵＩ５００を提供し、ユーザからの選択および指示により、商品を決定する。それぞれの選択肢のラジオボタン５０１１、５０１２の排他的な選択により、アルバム編集装置１０８で作成する商品がどちらになるかが決定される。
【００３４】
商品５０１は、アルバムを構成するページ数と、ページ内の写真の位置を自由に編集可能な自由レイアウトアルバムである。アルバムを構成するページ数は、表紙と裏表紙を含めて１２ページから４００ページで構成することが可能である。さらに商品５０１の表紙として紙厚が薄めのソフトカバーと、厚いハードカバーを排他的に選択可能である。ユーザからのラジオボタン５０１１１、５０１１２の排他的な選択を受けて、アルバム編集装置１０８で作成する商品の表紙のタイプが決定される。
【００３５】
商品５０２は、アルバムを構成するページ数が１２ページ、２０ページ、２４ページに制限されている商材であり、ページ内の写真の位置を自動レイアウトで決定する簡単アルバムである。商品５０２の表紙としては、商品５０１と同様に、ソフトカバーとハードカバーがラジオボタン５０１２１、５０１２２で排他的に選択可能である。また、ユーザからラジオボタン５０１２３、５０１２４、５０１２５の排他的な選択をうけて、アルバムを構成するページ数が決定される。
【００３６】
上述した商品選択ＵＩ５００上での選択後、進むボタン５０３を押下されることにより、アルバム編集装置１０８で作成する商品決定される。この商品決定により、ＧＵＩ制御部３０２は、選択されたアルバムの商材設定をデータ制御部３０１へ伝える。データ制御部３０１は作成するアルバムの設定としてアルバム構成データ３０１２へアルバムの商材設定を保存する。設定の保存後、アルバム編集装置１０８は、次のステップへ処理を進める。本実施形態では、以下構成ページ数の自由度が高い、商品５０１である自由レイアウトアルバムを選択した場合を説明する。
【００３７】
Ｓ４０２は画像データ選択工程である。アルバム編集装置１０８はＧＵＩ制御部３０２を用いて、図５（Ｂ）に示すアルバムへ配置する画像の候補を選択する画像選択ＵＩ５１０をＣＲＴ２０１へ表示する。以下特に明記しない限り、画像選択ＵＩ５１０へのＵＩ操作に関しては全てＧＵＩ制御部３０２が応答し処理する。画像選択ＵＩ５１０には、画像の取得先を選択ためにフォルダ選択領域５１１が存在する。更にフォルダ選択領域５１１にはデスクトップ５１１１とフォトサイト５１１２のフォルダアイコンが表示される。
【００３８】
デスクトップ５１１１は、クライアント装置１０２のＨＤＤ２０９のデスクトップフォルダからの画像取得を表すアイコンである。デスクトップ５１１１がクリックされると選択状態となる。もし選択中のフォルダに画像ファイルが格納されている場合は、画像のサムネール群がフォルダ内画像領域５１２へ表示される。また下位に位置するフォルダが存在すれば、フォルダ選択領域５１１において、ツリー構造で下位フォルダのアイコンが当該フォルダアイコンの下に表示される。外部メディアドライブ２０３に外部メディアがマウントされていれば、フォルダ選択領域５１１において、デスクトップフォルダの下位にはツリー構造で外部メディア上のフォルダアイコンが表示される。またローカル通信Ｉ／Ｆ２１０へ画像入力装置１０１が接続されていれば、フォルダ選択領域５１１において、その内部フォルダもデスクトップフォルダの下位フォルダとしてツリー構造で表示される。
【００３９】
フォトサイト５１１２は、フォトサイト１０５の画像ＤＢ１１０よりネットワーク１０６経由での画像取得を表すアイコンである。クリック操作に関してはデスクトップ５１１１のアイコンと同様なＵＩ挙動をとる。デスクトップフォルダと異なるところは、フォルダ内画像領域５１２へ表示される画像は通信制御部３０４によりネットワークＩ／Ｆ２１１経由でフォトサイト１０５より取得され、表示されることである。フォルダ内画像領域５１２の画像は、ユーザによるポインティングデバイス２０５のクリック、またはキーボード２０４のショートカットキー操作により、複数個の画像選択を受け付けることが可能ある。ユーザからのフォルダ内画像領域５１２での画像の選択、および追加ボタン５１３の押下を受けて、選択画面領域５１４へ選択された画像のサムネールがコピーされる。それらのコピーされた画像がアルバムに配置される候補画像となる。このとき、各画像候補は、アルバムもしくは編集画面の表示に適するように、圧縮／拡張等の画像処理が適用されても構わない。
【００４０】
選択画面領域５１４においても、アルバム編集装置１０８は、ユーザによるポインティングデバイス２０５のクリック、またはキーボード２０４のショートカットキー操作により、複数個の画像選択を受け付けることが可能ある。また、アルバム編集装置１０８は、ユーザからの選択画面領域５１４での画像の選択、および削除ボタン５１５の押下を受けて選択画面領域５１４から選択画像を除外することが可能である。選択画面領域５１４へ候補画像がある場合に進むボタン５１６が有効になる。このユーザによる進むボタン５１６の押下により、アルバム編集装置１０８は、データ制御部３０１を用いて、選択画面領域５１４の候補画像の画像データを候補画像３０１１へ保存する。なお、ユーザから戻るボタン５１７が押下された場合はＳ４０１の商品選択工程へ処理を戻す。
【００４１】
Ｓ４０３は編集＆プレビュー工程である。アルバム編集装置１０８はＧＵＩ制御部３０２を用いて、図５（Ｃ）に示すアルバムの編集とそのプレビューを行うＵＩである編集＆プレビューＵＩ５２０をＣＲＴ２０１へ表示する。以下特に明記しない限り、編集＆プレビューＵＩ５２０へのＵＩ操作に関しては全てＧＵＩ制御部３０２が応答し処理する。
【００４２】
編集＆プレビューＵＩ５２０は大きく４つの領域で構成される。１つ目の領域は操作ボタン領域５２１であり、アルバム作成のために必要な各種操作ボタンが配置されている。２つ目の領域は見開きページ編集領域５２２であり、アルバムの見開きのページのプレビューが表示されている。３つ目の領域は候補画像トレー５２３であり、Ｓ４０２の画像データ選択工程で選択された画像のサムネールが表示されている。これらのサムネールは、データ制御部３０１が管理する候補画像３０１１の画像群より作成される。
【００４３】
最後の４つの目の領域はアルバム全体プレビュー５２４であり、アルバム全体を構成する全てのページに関して見開きページの形式のプレビューが表示される。ここで表示するプレビューは、データ制御部３０１が管理するアルバム構成データ３０１２、表紙用コンテンツデータ３０１３、および内部ページコンテンツデータ３０１４の情報を元に作成される。なお、新規作成されたアルバム場合、商品選択されたアルバム形式で作成可能な最低枚数のページ数を有する構成のプレビューが表示される。
【００４４】
アルバム全体プレビュー５２４では、見開きページのプレビューの内の必ず１つが選択状態となる。キーボード２０４やポインティングデバイス２０５によるそれらプレビューに対する選択操作により選択対象を別の見開きプレビューに変更可能である。選択プレビューが変更になると、見開きページ編集領域５２２での編集対象のプレビューも連動して変更される。図５（Ｃ）では、冊子の表紙と裏表紙のプレビュー５２４１が選択されている状態を示している。見開きページ編集領域５２２に表紙と裏表紙のプレビュー５２２１が表示されている。図５（Ｃ）は左開きのアルバムで例である。そのため表紙と裏表紙のプレビュー５２２１の右半分は表紙のプレビュー、左半分は裏表紙のプレビューである。それらに挟まれて中央部分に背表紙のプレビューが表示される。
【００４５】
表紙のプレビュー上にはタイトルのテキスト領域５２２２が存在する。また背表紙のプレビュー上には背表紙タイトルのテキスト領域５２２３が存在する。テキスト領域５２２２、５２２３は、ユーザによるポインティングデバイス２０５でのクリックを受けて選択状態になり、ユーザによるキーボード２０４からの文字入力を受け付ける。図５（Ｃ）は“旅の思い出”という文字列が入力されている例である。これらの入力された文字情報は、表紙用コンテンツデータ３０１３として、データ制御部３０１によって管理される。更に表紙のプレビュー上には、表紙の画像領域５２２４が表示される。
【００４６】
ユーザからのポインティングデバイス２０５で候補画像トレー５２３の画像を選択、および表紙の画像領域５２２４にドラック・アンド・ドロップされた操作を受けて、その領域に選択された画像が割り当てられる。割り当てられた画像は、データ制御部３０１に伝えられ、表紙用コンテンツデータ３０１３として管理される。見開きページ編集領域５２２に、表紙および裏表紙以外のページが表示されている場合も同様に、ユーザは、キーボード２０４とポインティングデバイス２０５を用いて、テキスト領域と画像領域を編集可能である。その場合、ユーザからの指示による編集内容は、内部ページコンテンツデータ３０１４に保存される。
【００４７】
操作ボタン領域５２１には、レイアウト変更ボタン５２１１と、ページ追加／削除ボタン５２１２が配置されている。ユーザからレイアウト変更ボタン５２１１の押下をうけると、見開きページ編集領域５２２で表示中の編集対象ページに対し、図５（Ｄ）に示すテキスト領域や画像領域の配置位置を変更可能なダイアログ５３０が表示される。ダイアログ５３０には、レイアウト情報３０３１と画像割付テーブル３０３２の情報を元に、デザイン制御部３０３が計算した選択可能なレイアウト構成５３０１が表示される。ユーザからレイアウト構成５３０１での選択を受けて、デザイン制御部３０３が、見開きページ編集領域５２２で表示されている編集対象ページ上のテキストや写真の配置位置を変更する。
【００４８】
編集対象ページのレイアウトの変更結果は、データ制御部３０１により、表紙用コンテンツデータ３０１３または内部ページコンテンツデータ３０１４へデータ制御部３０１によって保存される。その保存を受けて、ＧＵＩ制御部３０２が見開きページ編集領域５２２とアルバム全体プレビュー５２４のプレビューを変更する。
【００４９】
本実施形態では、冊子に含まれる各ページは、コンテンツそれぞれの分類に応じてページ単位で区切りされ、また各ページにはコンテンツの分類をツメとして付与することが可能である。ここで、ツメは、用紙の表裏それぞれにコンテンツの分類に従って付与することが可能である。図５（Ｄ）に示す分類指定ボタン５３０２をユーザにより押下されることで、図５（Ｆ）に示す分類指定画面５５０が表示される。分類指定方法として、図５（Ｆ）のラジオボタン５５０１に示すように「Ｅｘｉｆ情報より分類」「画像格納元フォルダ名により分類」「画像ファイル名により分類」「分類を手入力」の排他的選択により指定する。「Ｅｘｉｆ情報より分類」を選択すると、さらに、「撮影日時により分類」より詳細な下位属性として「撮影年により分類」「撮影月により分類」の排他的選択により指定する。撮影日時以外のＥｘｉｆ情報を用いたコンテンツ分類も可能であるが、細部の説明となるのでここでの説明は省略する。
【００５０】
分類指定方法として「画像格納元フォルダ名により分類」を指定した場合、クライアント装置１０２のＨＤＤ２０９に格納されているコンテンツのフォルダ名を分類として扱う。例えば、フォルダ名「槍ヶ岳」以下のコンテンツの分類は「槍ヶ岳」として扱う。また、「画像ファイル名により分類」を選択した場合、コンテンツのファイル名のプレフィックスなどにより分類する。例えばコンテンツのファイル名が「槍ヶ岳＿登山口」「槍ヶ岳＿山頂」「槍ヶ岳＿上高地」だった場合、これらの分類は「槍ヶ岳」と扱う。また、分類を手入力で指定する場合には、ユーザにより分類編集ボタン５５０２が押下されることで表示される図５（Ｇ）に示す分類指定画面５６０を用いて指定する。
【００５１】
図５（Ｇ）に示す分類指定画面５６０には、候補画像トレー５２３の画像をリスト表示し、ユーザが分類情報入力エリア５６０１にテキスト文字を入力することでコンテンツの分類を指定する。図５（Ｆ）、図５（Ｇ）で分類情報を指定した後に、ユーザが図５（Ｄ）の分類レイアウトボタン５３０３を押下すると、デザイン制御部３０３がコンテンツの分類情報に応じてレイアウトを編集する。レイアウトの編集とは、例えば同じページに同一の分類からなるコンテンツの配置や、分類の切れ目での改行を実行し、ページを区切る。また、デザイン制御部３０３は各ページ内のコンテンツの分類に応じて、冊子内の各ページにツメを付与する。図５（Ｆ）、（Ｇ）に示すように、ページに配置するコンテンツ（画像データ）が有する付加情報（日付、ファイル名等）を用いて、各コンテンツが属する分類を作成し、分類することができる。
【００５２】
図６はデザイン制御部３０３によりツメが付与された場合の編集プレビューＵＩである。ページ６０１は冊子内の分類を一覧表示するページである。ページ６０２は各ページに付与されたツメ情報の一例を示している。ツメ情報は、例えば、図６のページ６０２の端に印字されている「槍ヶ岳」である。図５（Ｄ）の分類解除ボタン５３０４を押下すると、ツメの付与を解除すると共に、初期の自動レイアウトに戻す。
【００５３】
見開きページ編集領域５２２で表示されている現在の編集対象ページがアルバムの内部ページである場合、ページ追加／削除ボタン５２１２が有効になる。ユーザからのページ追加／削除ボタン５２１２の押下を受け付けると、図５（Ｅ）に示す、アルバムに対してページの追加・削除が可能なダイアログ５４０が表示される。ユーザは、ラジオボックス群５４０１を指定することによって、現在の編集対象ページの前後へのページ追加、または編集対象ページの削除が可能である。このページ追加／削除処理の結果は、データ制御部３０１によって、内部ページコンテンツデータ３０１４に保管され、またアルバムの総ページ数は、アルバム構成データ３０１２へ保管される。さらにこの変更をうけて、ＧＵＩ制御部３０２が見開きページ編集領域５２２とアルバム全体プレビュー５２４のプレビューを変更する。なお商品としてアルバムが構成可能ページ数の範囲は決まっており、その情報は商品構成データ３０４１の一部として通信制御部３０４が管理する。その構成可能ページ数の範囲情報を元に、アルバムが構成可能ページ数の範囲内でページの追加／削除がなされる。
【００５４】
上記で説明したレイアウト変更ボタン５２１１、ページ追加／削除ボタン５２１２の他にも、操作ボタン領域５２１には、テキスト領域の文字属性変更するボタンや、枠や背景などの飾りを変更可能なボタンが存在するが、ここでは説明を省略する。
【００５５】
ユーザにより進むボタン５２５の押下が行われた場合、アルバム編集装置１０８はデータ制御部３０１を使ってＳ４０３で作成したアルバムデータ（３０１２〜３０１４）の商品としての検証および整形処理を実施する。その詳細については後述する。検証および整形処理で問題がなければアルバム編集装置１０８はＳ４０４へ処理を進める。検証および整形処理で問題があれば、ユーザに対して警告メッセージを出力し、Ｓ４０３でのアルバムの再編集を促す。
【００５６】
Ｓ４０４は注文工程である。まずアルバム編集装置１０８は、ユーザの指示に基づいて、通信制御部３０４を使ってＳ４０３で作成したアルバムデータ（３０１２〜３０１４）をプリントサイト１０３へアップロードする。アップロード終了後、プリントサイト１０３は、そのアップロードに関連付けられたＩＤを返却する。アルバム編集装置１０８は、そのＩＤに関連したプリントサイトの注文ページの表示をＷＥＢブラウザ１０９へ依頼する。ＷＥＢブラウザ１０９上の注文ページを用いてアルバムの決裁方法や送付先の指定がユーザによって行われる。それらの処理は、ＷＥＢベースのアルバム注文サイトと同様なので説明を省略する。また、図５（Ａ）〜（Ｇ）にて示したユーザインタフェースの構成は一例であり、同様の機能を実現できれば、各領域やボタンの配置を変更させても構わない。
【００５７】
＜第一実施形態＞
上記にて述べた基本構成を元に、第一実施形態を詳細に述べる。上記では、図１で示される冊子作成装置のシステム、特にクライアント装置１０２が有するアルバム編集装置１０８の処理の流れを明示した。第一実施形態は予め設定した条件に応じて、冊子内の各ページにツメを付与するか否かを判断する処理を説明する。ここで、冊子内の各ページにツメを付与するか否かは、アルバム編集装置１０８における編集＆プレビュー工程（Ｓ４０３）において、分類レイアウトボタン５３０３が押下されたタイミングでデザイン制御部３０３が判断する。
【００５８】
本実施形態では、冊子内の各ページにツメを付与するか否かを、以下に示す冊子の特性に基づいた４つの判断基準により判断する。なお、以下の４つの判断基準は、全ての条件を満たした場合にツメを付与するようにしても構わない。もしくは、判断基準に優先度を付け、特定の条件を満たすものを優先的にツメを付与するようにしても構わない。また、以下で述べる各判断基準の具体的な設定値については、一例であり、これに限定されるものではない。したがって、必要に応じてその値を変更しても構わない。
【００５９】
第一の判断基準：冊子のページ数
第二の判断基準：冊子ページ数と分類数
第三の判断基準：冊子を構成する用紙の坪量
第四の判断基準：全面印字ページの存在の有無
以下では、各判断基準の具体的な説明を行う。
【００６０】
第一の判断基準に基づく、ツメの付与条件を図７（Ａ）に示す。ここでは、冊子のページ数によりツメを付与するか否かを判断する。つまり、冊子が所定のページ数以上であることを判断基準としている。ツメの付与条件７０１に示すように、本実施形態では、ツメを付与する条件は冊子のページ数が「１５ページ以上」とする。ツメの付与条件７０１は、アルバム編集装置１０８にプリ設定されていてもよく、あるいはプリントサイト１０３からネットワーク１０６を介して参照するようにするシステムであっても良い。
【００６１】
図８はツメ付与判断処理のフローチャートである。本処理フローは、クライアント装置１０２が有するＣＰＵ２０６が記憶部であるＲＯＭ２０７等からプログラムを読みだし、実行するものとする。まず、Ｓ８０１により、アルバム編集装置１０８は、冊子のページ数がツメの付与条件７０１を満たすか判断する。条件を満たす場合には、アルバム編集装置１０８は、ツメを付与し（Ｓ８０２）、条件を満たさない場合には、ツメを付与しない（Ｓ８０３）。これは、冊子内のページ数が少ない場合、ツメを付与するまでもなく、冊子内のコンテンツは容易に識別可能であるとの考えに基づく。図７（Ａ）に示す付与条件を用いることで、アルバム編集装置１０８は、冊子の各ページに対して、ツメを付与するか否かを判断することが可能となる。
【００６２】
第二の判断基準に基づく、ツメの付与条件を図７（Ｂ）に示す。ここでは、冊子のページ数と分類数によりツメを付与するか否かを判断する。つまり、冊子のページ数に対し、所定の数の分類数が設けられているか否かを判断基準としている。ツメの付与条件９０１に示すように、本実施形態では、ツメを付与する条件は、以下のように定義する。冊子のページ数が「１５〜３０ページ」の範囲内の場合には分類数は「６以下」、「３１ページ〜６０ページ」の範囲内の場合には分類数は「１５以下」、「６１〜４００ページ」の場合には分類数は「２０以下」であることとする。ツメの付与条件９０１、９０２、９０３は、アルバム編集装置１０８にプリ設定されていてもよく、あるいはプリントサイト１０３からネットワーク１０６を介して参照するようにするシステムであっても良い。
【００６３】
図９はツメ付与判断処理のフローチャートである。本処理フローは、クライアント装置１０２が有するＣＰＵ２０６が記憶部であるＲＯＭ２０７等からプログラムを読みだし、実行するものとする。まず、Ｓ１００１により、アルバム編集装置１０８は、冊子のページ数及び分類数がツメの付与条件９０１、９０２、９０３を満たすか判断する。条件を満たす場合には（Ｓ１００１にてＹＥＳ）、アルバム編集装置１０８は、ツメを付与し（Ｓ１００２）、条件を満たさない場合には（Ｓ１００１にてＮＯ）、ツメを付与しない（Ｓ１００３）。これは、冊子内のページ数と分類数が一定以上近似している場合、例えば冊子が“３０ページ”で、分類数が“２８”の場合、ツメを付与しても冊子内のコンテンツを容易に識別できない。このような場合を想定し、図７（Ｂ）に示すツメの付与条件を用いることで、アルバム編集装置１０８は、冊子内の各ページに対して、ツメを付与するか否かを判断することが可能となる。
【００６４】
第三の判断基準に基づく、ツメの付与条件を図７（Ｃ）に示す。ここでは、冊子の内部ページ数の坪量によりツメを付与するか否かを判断する。つまり、冊子に含まれるページの坪量が所定の値以下であるか否かを判断基準としている。ツメの付与条件１１０１に示すように、本実施形態では、ツメを付与する条件は、坪量が「６０ｇ以下」とする。ツメの付与条件１１０１は、アルバム編集装置１０８にプリ設定されていてもよく、あるいはプリントサイト１０３からネットワーク１０６を介して参照するようにするシステムであっても良い。なお、冊子内には、用紙種類の異なる複数の用紙が用いられる場合がある。この場合にも、ページごとに判定を行い、ツメを付与するか否かを判断しても良い。なお、第三の判断基準は、ツメを付与する条件としてページの坪量を用いたが、冊子に含まれるページ（紙）の厚さや紙の種類（普通紙、再生紙、上質紙、光沢紙など）を、ツメを付与する条件として用いてもよい。例えば、紙の厚さが所定値以下の場合ツメを付与するが、紙の厚さが所定値よりも大きい場合ツメを付与しないようにしてもよい。
【００６５】
図１０はツメ付与判断処理のフローチャートである。本処理フローは、クライアント装置１０２が有するＣＰＵ２０６が記憶部であるＲＯＭ２０７等からプログラムを読みだし、実行するものとする。まず、Ｓ１２０１により、アルバム編集装置１０８は、冊子のページ数がツメの付与条件１１０１を満たすか判断する。条件を満たす場合には（Ｓ１２０１にてＹＥＳ）、アルバム編集装置１０８は、ツメを付与し（Ｓ１２０２）、条件を満たさない場合には（Ｓ１２０１にてＮＯ）、ツメを付与しない（Ｓ１２０３）。これは、冊子内の坪量が多い場合、冊子を小口側から目視する場合など、分類情報が帯状に識別することができず、ツメを付与したとしても容易に分類情報を識別することができないとの考えに基づく。図７（Ｃ）に示す付与条件を用いることで、アルバム編集装置１０８は、ツメを付与するか否かを判断することが可能となる。
【００６６】
第四の判断基準に基づく、ツメの付与条件として、ここでは、全面印字ページが存在するか否かにより、ページまたは冊子に対してツメを付与するか否かを判断する。ここでの全面印字ページとは、用紙における全面が印字対象の領域であるページを意味する。例えば、用紙全体に対して、１つの画像を印刷する場合などが挙げられる。図１１は第四のツメの付与判断を説明するフローチャートである。本処理フローは、クライアント装置１０２が有するＣＰＵ２０６が記憶部であるＲＯＭ２０７等からプログラムを読みだし、実行するものとする。
【００６７】
Ｓ１３０１により、アルバム編集装置１０８は、１ページ目が全面印字ページか否かを判断する。全面印字ページと判断した場合（Ｓ１３０１にてＹＥＳ）、アルバム編集装置１０８は、着目ページにはツメを付与しない旨をレイアウト情報３０３１に記録する（Ｓ１３０７）。Ｓ１３０１により、全面印字ページで無いと判断した場合（Ｓ１３０１にてＮＯ）、アルバム編集装置１０８は、着目ページにはツメを付与する旨をレイアウト情報３０３１に記録する（Ｓ１３０２）。
【００６８】
次に、Ｓ１３０３により、アルバム編集装置１０８は、冊子内の全ページに関してチェックしたか判断する。全ページの判断を行なっていないと判断した場合には（Ｓ１３０３にてＮＯ）、次の未チェックのページを着目ページとし（Ｓ１３０６）、Ｓ１３０１の処理に戻る。Ｓ１３０３で、全ページチェックしたと判断した場合には（Ｓ１３０３にてＹＥＳ）、アルバム編集装置１０８は、レイアウト情報３０３１を参照し、特定の分類内のページ全てがツメを付与しないと記録されているか否かを判断する（Ｓ１３０４）。Ｓ１３０４で、特定の分類内の全ページがツメを付与しないと記録されている場合（Ｓ１３０４にてＹＥＳ）、冊子全体に対してツメを付与しないと判断し、その旨を記録する（Ｓ１３０５）。以上により、本処理フローを終了する。
【００６９】
上記処理により、全面印字ページにはツメを付与しないことが可能になる。また、冊子内の特定の分類がツメを付与しない設定の場合には、ツメによる分類識別が欠落して意味を成さないため、冊子全体に対してツメを付与しないことが可能となる。
【００７０】
以上、本発明により、冊子に対して一定の判断基準でツメの付与を決定することで、冊子内の分類の可視化において柔軟性と利便性を向上することができる。
【００７１】
＜第二実施形態＞
第二実施形態では、第一実施形態に加えて、冊子内の画像のレイアウトとツメの位置とを調整する処理を説明する。つまり、本実施形態では、ページにて画像とツメとが重複して配置されることを防ぐため、ページ内の画像がツメと重ならないように、画像をずらして配置する。図１２（ａ）はツメを付与する前の画像のレイアウトの一例である。図１２において、横方向をｘ方向、縦方向をｙ方向とする。用紙１４１１の各頂点の座標は、（０，０）、（Ｘ，０）、（０，Ｙ）、（Ｘ，Ｙ）である。また画像Ａ１４１２の各頂点の座標は、（ａ１，ａ２）、（ａ４，ａ２）、（ａ１，ａ３）、（ａ４，ａ３）である。ここで、デザイン制御部３０３によりツメを付与する場合に、ツメ１４１３の各頂点の座標が（ｃ１，ｃ２）、（Ｘ，ｃ２）、（ｃ１，ｃ３）、（Ｘ，ｃ３）であるとする。
【００７２】
図１２（ａ）のように画像Ａ１４１２とツメ１４１３とが重なっている場合、その重なり量はｘ方向に「ａ４−ｃ１」となる。ここで、ａ１＞ａ４−ｃ１を満たしている場合、画像Ａ１４１２の座標をｘ方向に「ａ４−ｃ１」の分だけずらすことで、画像Ａ１４１２とツメ１４１３の重なりを防止することが可能となる。その場合の画像Ａ１４１２の各頂点の移動後の座標は（ａ１−ａ４＋ｃ１，ａ２）、（ｃ１，ａ２）、（ａ１−ａ４＋ｃ１，ａ３）、（ｃ１，ａ３）となる。このように、「ツメと反対側における画像と用紙の余白が、画像とツメの重なり量よりも大きい場合には、画像とツメとが重ならないように画像を再配置する」手段をデザイン制御部３０３に設ける。
【００７３】
図１４は上記処理の流れを示すフローチャートである。本処理フローは、クライアント装置１０２が有するＣＰＵ２０６が記憶部であるＲＯＭ２０７等からプログラムを読みだし、実行するものとする。アルバム編集装置１０８は、Ｓ１６０１で、ページ内においてツメと画像とが重なるか判断する。重なると判断された場合には（Ｓ１６０１にてＹＥＳ）、アルバム編集装置１０８は、上記方法に基づいて、重なり分だけ画像を再配置できるか否かを判断する（Ｓ１６０２）。移動できると判断した場合には（Ｓ１６０２にてＹＥＳ）、アルバム編集装置１０８は、画像のレイアウトを変更する（Ｓ１６０３）。Ｓ１６０２にて画像を再配置することができないと判断した場合には（Ｓ１６０２にてＮＯ）、ツメを付与しない旨をレイアウト情報３０３１に記録する（Ｓ１６０４）。以上により、本処理フローを終了する。
【００７４】
上記処理により、第一実施形態の効果に加え、画像とツメが重ならないようにコンテンツのレイアウトを調整することが可能となる。
【００７５】
＜第三実施形態＞
第三実施形態では、第一実施形態に加えて、冊子内の画像のレイアウトとツメの位置とを調整する処理を説明する。つまり、本実施形態では、本実施形態では、ページにて画像とツメとが重複して配置されることを防ぐため、ページ内の画像がツメと重ならないように、画像のサイズを縮小して配置する。図１３（ａ）はツメを付与する前の画像のレイアウトの一例である。図１３において、横方向をｘ方向、縦方向をｙ方向とする。用紙１５１１の各頂点の座標は、（０，０）、（Ｘ，０）、（０，Ｙ）、（Ｘ，Ｙ）である。また画像Ａ１５１２の各頂点の座標は、（ａ１，ａ２）、（ａ４，ａ２）、（ａ１，ａ３）、（ａ４，ａ３）である。ここで、デザイン制御部３０３によりツメを付与する場合に、ツメ１５１３の各頂点の座標が（ｃ１，ｃ２）、（Ｘ，ｃ２）、（ｃ１，ｃ３）、（Ｘ，ｃ３）であるとする。
【００７６】
図１３（ａ）のように画像Ａ１５１２とツメ１５１３とが重なっている場合、（ａ１，ａ２）を起点に画像Ａ１５１２を縮小することで、画像とツメとの重なりを防止することができる。図６（ａ）に示す例の場合、最大縮小率は以下となる。
【００７７】
（最大縮小率）＝（ｃ１−ａ１）÷（ａ４−ａ１）  ・・・（式１）
このように、「ツメと画像とが重なる場合、画像を縮小してレイアウトする」手段をデザイン制御部３０３に設ける。
【００７８】
図１５は上記処理の流れを示すフローチャートである。本処理フローは、クライアント装置１０２が有するＣＰＵ２０６が記憶部であるＲＯＭ２０７等からプログラムを読みだし、実行するものとする。アルバム編集装置１０８は、Ｓ１７０１で、ページ内においてツメと画像とが重なるか判断する。重なると判断された場合には（Ｓ１７０１にてＹＥＳ）、アルバム編集装置１０８は、上記方法に基づき、コンテンツを縮小してレイアウトする（Ｓ１７０２）。ツメと画像とが重ならないと判断された場合には（Ｓ１７０１にてＮＯ）、ツメを付与する旨をレイアウト情報３０３１に記憶する（Ｓ１７０３）。以上により、本処理フローを終了する。
【００７９】
上記処理により、第一実施形態の効果に加え、画像とツメとが重ならないようにコンテンツのレイアウトを調整することが可能となる。
【００８０】
＜第四実施形態＞
第四実施形態では、第一実施形態に加えて、ページの背景色とツメの色との関係を踏まえた処理を説明する。本実施形態では、ツメを配置する位置の背景色（ツメを配置する位置におけるページの小口部分の色）に基づいて、ツメを付与するか否かを判定する。つまり、ツメを配置する位置における、用紙の色もしくは配置される画像の色である背景色と、ツメの色とを比較し、同一もしくは類似する場合に、ツメの色を変更もしくはツメを付与しない。
【００８１】
本実施形態において、ツメの色に関しては、予めユーザが設定しているものとする。また、印字に用いる冊子の用紙の色の情報についても予め保持しているものとする。なお、ここでの色の“類似”とは、ツメの色と背景色との色値の差が予め定義された範囲内にあることを意味する。また、色の組み合わせによっては、ツメによる帯が目立たない場合があるため、この組み合わせを予め定義しておき、この組み合わせを除くようにツメの付与を制御しても構わない。
【００８２】
図１６は、上記処理の流れを示すフローチャートである。本処理フローは、クライアント装置１０２が有するＣＰＵ２０６が記憶部であるＲＯＭ２０７等からプログラムを読みだし、実行するものとする。Ｓ１８０１にて、アルバム編集装置１０８は、ツメを付与する位置の周辺の背景色が、ツメの色として設定された色値と同一または類似か否かを判断する。同一または類似であると判断された場合は（Ｓ１８０１にてＹＥＳ）、Ｓ１８０２にて、アルバム編集装置１０８は、ツメの色を変更可能か否か判定する。このとき、ユーザに対して、その旨を問い合わせても良いし、予め保持された設定に従っても良い。ツメの色を変更可能と判断された場合（Ｓ１８０２にてＹＥＳ）、アルバム編集装置１０８は、ツメの色を変更し、当該ツメを付与する旨をレイアウト情報３０３１に記録する。ツメの色が変更不可と判断された場合（Ｓ１８０２にてＮＯ）、ツメを付与しない旨をレイアウト情報３０３１に記録する。また、Ｓ１８０１にて、背景色とツメの色が同一または類似でないと判断された場合は（Ｓ１８０１にてＮＯ）、アルバム編集装置１０８は、ツメを付与する旨をレイアウト情報３０３１に記録する（Ｓ１８０５）。以上により、本処理フローを終了する。
【００８３】
上記処理により、第一実施形態の効果に加え、ツメの色とツメを配置する背景色とが同一もしくは類似することにより、ツメが目立たなくなり、分類の識別が困難になることを防止することが可能となる。
【００８４】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012138895.tif 000003
【図２】
2012138895.tif 000004
【図３】
2012138895.tif 000005
【図４】
2012138895.tif 000006
【図５】
2012138895.tif 000007
【図６】
2012138895.tif 000008
【図７】
2012138895.tif 000009
【図８】
2012138895.tif 000010
【図９】
2012138895.tif 000011
【図１０】
2012138895.tif 000012
【図１１】
2012138895.tif 000013
【図１２】
2012138895.tif 000014
【図１３】
2012138895.tif 000015
【図１４】
2012138895.tif 000016
【図１５】
2012138895.tif 000017
【図１６】
2012138895.tif 000018